(57)【要約】【課題】閃光を遮ることなく光学部材の温度を検出する。【解決手段】閃光装置であって、閃光を発生する閃光発生部と、閃光発生部を覆う透明な光学部材と、光学部材を透過する光の透過率を取得して、透過率に基づいて光学部材の温度を算出する温度算出部とを備える。上記閃光装置において、温度算出部の出力値の変化に応じて、閃光発生部が発生する閃光の光強度を変化させる制御部を更に備えてもよい。また、上記閃光装置において、制御部は、温度算出部から取得した温度が予め定められた閾値温度を越えた場合に、閃光発生部が発生する閃光の光強度を低下させてもよい。【選択図】図３
2013167807.tif 000002
【特許請求の範囲】
【請求項１】
閃光を発生する閃光発生部と、
前記閃光発生部を覆う透明な光学部材と、
前記光学部材を透過する光の透過率を取得して、前記透過率に基づいて前記光学部材の温度を算出する温度算出部と
を備える閃光装置。
【請求項２】
前記温度算出部の出力値の変化に応じて、前記閃光発生部が発生する閃光の光強度を変化させる制御部を更に備える請求項１に記載の閃光装置。
【請求項３】
前記制御部は、前記温度算出部から取得した温度が予め定められた閾値温度を越えた場合に、前記閃光発生部が発生する閃光の光強度を低下させる請求項２に記載の閃光装置。
【請求項４】
前記温度算出部の複数の出力値に基づいて、前記光学部材の温度を予測する温度予測部を更に備え、
前記制御部は、前記温度予測部が出力する温度予測値に応じて、前記閃光発生部が発生する閃光の光強度を変化させる請求項２または請求項３に記載の閃光装置。
【請求項５】
前記制御部は、前記閃光発生部が発生する閃光の光強度を変化させるに先立って、その旨を警告する警報を発生する請求項２から請求項４までのいずれか一項に記載の閃光装置。
【請求項６】
前記温度算出部は、
前記光学部材を透過した透過光を受光して、当該透過光の光強度を出力する透過光受光部と、
前記光学部材に対して前記透過光受光部と反対側に配され、前記光学部材に入射する入射光の光強度を出力する入射光受光部と、
前記入射光受光部および前記透過光受光部の出力の差分に基づいて前記光学部材の透過率を算出する透過率算出部と
を有する請求項１から請求光５までのいずれか一項に記載の閃光装置。
【請求項７】
前記透過光受光部は、前記光学部材の長手方向に前記光学部材を透過した透過光を受光する請求項６に記載の閃光装置。
【請求項８】
前記透過光受光部は、前記閃光発生部が発生して前記光学部材に入射させた閃光の一部を透過光として受光する請求項６または請求項７に記載の閃光装置。
【請求項９】
前記光学部材に対して前記透過光受光部と反対側に配され、計測光を発生して前記光学部材に入射させる計測光々源部を更に備え、
前記透過光受光部は、前記光学部材を透過した前記計測光の一部を受光する請求項６または請求項７に記載の閃光装置。
【請求項１０】
前記計測光は、可視光帯域外の波長を有する請求項９に記載の閃光装置。
【請求項１１】
前記光学部材における前記計測光の伝播方向が、前記閃光装置の外部から前記光学部材に入射する外光の伝播方向と異なる請求項９または請求項１０に記載の閃光装置。
【請求項１２】
前記光学部材に入射させるべく光の伝播方向を変化させる入射側反射鏡を更に備える請求項１から請求項１１までのいずれか一項に記載の閃光装置。
【請求項１３】
前記入射側反射鏡は、前記光学部材の縁部端面に形成される請求項１２に記載の閃光装置。
【請求項１４】
前記閃光発生部は、閃光を発生する閃光光源を含む請求項１から請求項１３までのいずれか一項に記載の閃光装置。
【請求項１５】
前記閃光発生部は、閃光を発生する発光ダイオードを含む請求項１から請求項１３までのいずれか一項に記載の閃光装置。
【請求項１６】
請求項１から請求項１５までのいずれか一項に記載の閃光装置と、
前記閃光装置に照明された被写体の像を形成する光学系と
を備える光学装置。
【請求項１７】
請求項１６に記載の光学装置と、
前記光学系が形成した被写体像を撮像する撮像素子と
を備えた撮像装置。
【発明の詳細な説明】
【技術分野】
【０００１】
本発明は閃光装置、光学装置および撮像装置に関する。
【背景技術】
【０００２】
閃光装置に温度センサを設けて、温度センサの出力に応じて発生する閃光の強さを制御することが提案されている（特許文献１参照）。
［先行技術文献］
［特許文献］
［特許文献１］特開２００９−３００５２３号公報
【発明の概要】
【発明が解決しようとする課題】
【０００３】
閃光を透過する樹脂製光学部材を保護する目的で当該光学部材に温度センサを設けると閃光の照射分布が不均一になる場合がある。
【課題を解決するための手段】
【０００４】
上記課題を解決すべく、本発明の第一態様として、閃光を発生する閃光発生部と、閃光発生部を覆う透明な光学部材と、光学部材を透過する光の透過率を取得して、透過率に基づいて光学部材の温度を算出する温度算出部とを備える閃光装置が提供される。
【０００５】
また、本発明の第二態様として、上記閃光装置と、閃光装置に照明された被写体の像を形成する光学系とを備える光学装置が提供される。更に、本発明の第三態様として、上記光学装置と、光学系が形成した被写体像を撮像する撮像素子とを備えた撮像装置が提供される。
【０００６】
上記の発明の概要は、本発明の必要な特徴の全てを列挙したものではない。これら特徴群のサブコンビネーションもまた発明となり得る。
【図面の簡単な説明】
【０００７】
【図１】閃光装置１００の斜視図である。
【図２】カメラシステム４００の模式的断面図である。
【図３】閃光システム５０１のブロック図である。
【図４】透明樹脂材料における透過率の温度依存性を例示するグラフである。
【図５】制御部１６０における制御手順を示す流れ図である。
【図６】閃光システム５０２のブロック図である。
【図７】閃光システム５０３のブロック図である。
【図８】閃光システム５０４のブロック図である。
【図９】閃光システム５０５のブロック図である。
【発明を実施するための形態】
【０００８】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【０００９】
図１は、閃光装置１００の斜視図である。閃光装置１００は、固定筐体１１０および可動筐体１２０を備える。可動筐体１２０は、互いに直交する回転軸を介して固定筐体１１０に結合される。これにより、固定筐体１１０がカメラに固定された状態でも、可動筐体１２０を任意の方向に向けることができる。
【００１０】
固定筐体１１０は、底面に取付部１１２を有する。取付部１１２は、カメラボディ３００に設けられたアクセサリシューと嵌合する。また、取付部１１２の更に底面には連動端子１１４が配される。取付部１１２がアクセサリシューに嵌合した場合、連動端子１１４はカメラ側の連動端子と接触して電気的接続を形成する。これにより、閃光装置１００は、カメラボディ３００と、機械的にも電気的にも一体化される。
【００１１】
閃光装置１００において、図中左側になる固定筐体１１０の前面には、補助光発光部１１６および補助光受光部１１８が配される。補助光発光部１１６は、被写体に向かって補助光を照射する。補助光受光部１１８は、被写体により反射された補助光を受けて、被写体による反射量を測定する。
【００１２】
可動筐体１２０は、解除ボタン１２４および光学部材１２５を有する。解除ボタン１２４は可動筐体１２０の側面に配される。解除ボタン１２４は、側方から押し込まれた場合に、固定筐体１１０および可動筐体１２０を係止するロック機構を解除する。これにより、可動筐体１２０は、固定筐体１１０に対して自在に向きを変えることができる状態になる。
【００１３】
光学部材１２５は、可動筐体１２０の前端面に配される。光学部材１２５は、透明な樹脂により形成された光学部品であり、可動筐体１２０の内部で発生した閃光を減衰させることなく透過させる。このような光学部材１２５を形成する材料としては、ポリメタクリル酸メチル樹脂（ＰＭＭＡ）、シクロオレフィンポリマ樹脂等の透明樹脂材料を例示できる。
【００１４】
また、光学部材１２５は、フレネルレンズのように、透過する光を拡散させる形状を有する。これにより、光学部材１２５を透過して閃光装置１００の外部に放射された閃光は均一に拡散する。よって、閃光装置１００は、被写体を均一に照明できる。
【００１５】
光学部材１２５の上部には、広角拡散板１２３およびキャッチライト反射板１２１が配される。広角拡散板１２３およびキャッチライト反射板１２１は、可動筐体１２０の内部に収容でき、使用する場合に引き出される。
【００１６】
引き出して光学部材１２５に重ねられた広角拡散板１２３は、透過する閃光を光学部材１２５よりも更に拡散させて、より広い範囲を照明させる。引き出されたキャッチライト反射板１２１は、閃光の一部を被写体の目に向かって反射して被写体の瞳を光らせる。
【００１７】
図２は、閃光装置１００を含むカメラシステム４００の模式的断面図である。カメラシステム４００は、閃光装置１００、レンズユニット２００およびカメラボディ３００を含む。閃光装置１００は、図１に示したものと同じであり、共通の要素には同じ参照番号を付して重複する説明を省く。
【００１８】
レンズユニット２００は、鏡筒２０１、レンズ２１０、２２０、２３０、２５０、絞り装置２４０、モータ２６０を備える。鏡筒２０１は、一端に設けられたレンズマウント２７０によりカメラボディ３００のボディマウント３７０に対して着脱可能に固定される。
【００１９】
レンズ２１０、２２０、２３０、２５０および絞り装置２４０は、鏡筒２０１内部で光軸Ｘに沿って配置されて光学系を形成する。レンズ２２０は、光軸Ｘに沿って移動することにより、光学系の倍率を変化させる。レンズ２３０は、光軸Ｘに沿って移動することにより光学系の焦点位置を変化させる。絞り装置２４０は、開閉して被写体光束の入射量を調節する。
【００２０】
モータ２６０は、合焦用に用いられるレンズ２３０を移動させる。よって、後述するカメラボディ３００の本体ＣＰＵ３１０は、合焦センサ３２２と協働してモータ２６０を電気的に制御することにより、レンズユニット２００の光学系を合焦させる。
【００２１】
カメラボディ３００は、筐体３０１の高さ方向略中央に、主鏡３６０、シャッタ３３２および撮像素子３３０を順次配列して備える。主鏡３６０は、図中に実線で示すように、被写体光束の光路上に斜設される斜設位置と、図中に点線で示すように被写体光束の光路から退避した退避位置との間を移動する。
【００２２】
主鏡３６０が退避位置にある場合、入射した被写体光束は直進する。よって、主鏡３６０が退避位置にある状態でシャッタ３３２が開くと、被写体光束は撮像素子３３０に受光されて電気信号に変換される。
【００２３】
斜設位置にある主鏡３６０は、カメラボディ３００に入射した被写体光束の大半を、上方のピント板３５２に向かって反射する。ピント板３５２は、撮像素子３３０に対して光学的に共役な位置にある。よって、レンズユニット２００の光学系により、ピント板３５２上に被写体像が結ばれる。
【００２４】
カメラボディ３００は、筐体３０１の上部に、測光センサ３２４、ペンタプリズム３５４およびファインダ３５０を備える。ピント板３５２に結ばれた被写体像は、ペンタプリズム３５４を通じてファインダ３５０から観察される。これにより、ユーザは、被写体像を正立正像として観察できる。
【００２５】
また、ピント板３５２からペンタプリズム３５４に入射した被写体光の一部は、測光センサ３２４に受光される。測光センサ３２４は被写体輝度を測定して、測定結果を本体ＣＰＵ３１０に通知する。これにより、本体ＣＰＵ３１０は、カメラボディ３００による撮影条件を算出する。
【００２６】
また、カメラボディ３００は、筐体３０１の下部に、本体ＣＰＵ３１０および合焦センサ３２２を備える。主鏡３６０の一部はハーフミラーであり、被写体光束の一部を透過させる。
【００２７】
主鏡３６０を透過した被写体光束の一部は、主鏡３６０の裏面に配された副鏡３６２により反射されて、合焦センサ３２２に導かれる。合焦センサ３２２は、レンズユニット２００の光学系を合焦させるに要するレンズ２３０の移動量を検出して、本体ＣＰＵ３１０に通知する。
【００２８】
カメラボディ３００に撮影が指示された場合、本体ＣＰＵ３１０は、測光センサ３２４から通知された被写体輝度に応じて絞り装置２４０を制御する。また、本体ＣＰＵ３１０は、合焦センサ３２２から取得した合焦位置にレンズ２３０が移動するように、モータ２６０を制御する。
【００２９】
カメラボディ３００の背面には表示部３４０が配され、撮影した画像を表示できる。また、表示部３４０は、カメラボディ３００および記録媒体等の設定値、状態等を表示する。また、カメラボディ３００がライブビューモードで動作している場合は、スルー画等も表示する。
【００３０】
閃光装置１００は、固定筐体１１０の内部に、制御部１６０および電池１７０を収容する。また、閃光装置１００は、可動筐体１２０に、蓄電素子１３０、駆動部１４０および発光部１５０を収容する。
【００３１】
発光部１５０は、ボールねじ１４２から吊り下げられる。発光部１５０は、閃光を発生する閃光光源１５２と、閃光光源１５２が発生した閃光を、図中左方の前方に向かって反射する反射板１５４とを有する。これにより、閃光光源が発生した閃光は、光学部材１２５を通じて、カメラシステム４００の前方に向かって照射される。
【００３２】
蓄電素子１３０は、電池１７０から供給された電力で充電される。充電された電力は、制御部１６０の指示により一気に放電される。これにより、閃光光源１５２は、大きな電力で駆動されて強い閃光を発生する。なお、閃光光源１５２としては、キセノン管のような放電管を用いることができる他、高輝度発光ダイオードを用いることもできる。
【００３３】
駆動部１４０は、ボールねじ１４２を回転させる。また、回転方向を反転させることができる。これにより、発光部１５０を、光学系の光軸Ｘと平行な方向に移動させることができる。移動した閃光光源１５２は、被写界に対する閃光の照射範囲を変化させる。
【００３４】
図３は、カメラシステム４００における閃光システム５０１のブロック図である。図１および図２と共通の要素には同じ参照番号を付して重複する説明を省く。閃光システム５０１は、入射光受光部５１０および透過光受光部５２０を備える。
【００３５】
入射光受光部５１０は、光学部材１２５に対して閃光光源１５２と同じ側に配される。よって、入射光受光部５１０は、閃光光源１５２から放射された閃光を直接に受光して光強度を計測する。入射光受光部５１０が計測した光強度は、制御部１６０に形成された温度算出部１６２に通知される。
【００３６】
透過光受光部５２０は、光学部材１２５に対して閃光光源１５２と反対側に配される。よって、透過光受光部５２０は、閃光光源１５２から放射された閃光が、光学部材１２５に透過された後に受光して光強度を計測する。透過光受光部５２０が計測した光強度も温度算出部１６２に通知される。
【００３７】
制御部１６０は、カメラボディ３００の本体ＣＰＵ３１０等の外部から発光の指示を受けた場合に、蓄電素子１３０に放電のトリガを与えて、閃光光源１５２に閃光を発生させる。閃光光源が発生した閃光の大半は、反射板１５４に導かれ、光学部材１２５を通じて被写体に向かって照射される。また、閃光の一部は、入射光受光部５１０および透過光受光部５２０に受光される。
【００３８】
図４は、光学部材１２５として使用し得る透明樹脂材料のひとつとしてあるポリメタクリル酸メチル樹脂について、全光線透過率の温度依存性を例示するグラフである。図示のように、ＰＭＭＡ等の透明樹脂材料には、温度が上昇するにつれて全光線透過率が顕著に低下するものがある。
【００３９】
再び図３を参照すると、温度算出部１６２は、閃光光源１５２が発光する毎に、光学部材１２５に対して入射する光の光強度と、光学部材１２５を透過した光の光強度との差分に基づいて、光学部材１２５の透過率を算出する。光学部材１２５の透過率は、光学部材１２５の温度により変化するので、温度算出部１６２は、予め格納している光学部材１２５の透過率と温度との相関を記録したテーブルを参照して光学部材１２５の温度を算出する。算出された光学部材１２５の温度は制御部１６０に通知される。
【００４０】
ここで、光学部材１２５は、反射板１５４により規定される閃光の照射範囲よりも広い。また、入射光受光部５１０および透過光受光部５２０は、閃光の照射範囲の外側に配される。これにより、制御部１６０は、図中に一点鎖線Ｌにより示す閃光の光路上に温度センサを配置することなく、光学部材１２５の温度を検知できる。よって、入射光受光部５１０および透過光受光部５２０が、閃光の照度分布に影響を与えることはない。
【００４１】
なお、入射光受光部５１０および透過光受光部５２０は、フォトダイオード、フォトトランジスタ等の光電変換素子を用いて形成できる。また、閃光の光強度は高い。よって、入射光受光部５１０および透過光受光部５２０は、減光板５１２、５２２を通じて閃光を受光してもよい。これにより、光電変換素子の感度が高い領域で閃光の光強度を検束できる。
【００４２】
図５は、上記閃光システム５０１に係る制御部１６０の制御手順を示す流れ図である。閃光装置１００が閃光を発生した場合（ステップＳ１０１）、制御部１６０は、光学部材１２５の温度を監視し始め、光学部材１２５の温度が予め定められた警告閾値を超えるまで監視を継続する（ステップＳ１０２：ＮＯ）。
【００４３】
光学部材１２５の温度が警告閾値を超えた場合（ステップＳ１０２：ＹＥＳ）、制御部１６０は、閃光装置１００の発光回数または発光強度を減じることを奨める警告を発生する（ステップＳ１０３）。警告は、閃光装置１００自体の表示機能を用いて発生してもよい。また、光学部材１２５の温度が上昇していることをカメラボディ３００の本体ＣＰＵ３１０に伝えて、カメラボディ３００の表示部３４０に警告を表示させてもよい。
【００４４】
なお、警告閾値は、光学部材１２５のガラス転移温度よりも十分に低い温度が設定される。よって、温度が警告閾値に到達しても、光学部材１２５が不可逆的に変質あるいは変形することはない。
【００４５】
制御部１６０は、その後も光学部材１２５の温度を監視し、光学部材１２５の温度が予め定められた抑制閾値を超えるまで監視を継続する（ステップＳ１０４：ＮＯ）。光学部材１２５の温度が抑制閾値を超えた場合（ステップＳ１０４：ＹＥＳ）、制御部１６０は、閃光装置１００の発光間隔および発光強度の少なくとも一方を含む発光量を強制的に抑制する（ステップＳ１０５）。
【００４６】
発光量の抑制は、蓄電素子１３０への充電電流または充電電圧を抑制してもよいし、蓄電素子１３０が充電されていても、タイマ等により発光間隔を制限してもよい。また、光学部材１２５の温度が抑制閾値を超えたことをカメラボディ３００の本体ＣＰＵ３１０に伝えて、本体ＣＰＵ３１０に、閃光装置１００の使用が少なくなる撮影条件を選択させてもよい。
【００４７】
制御部１６０は、その後も光学部材１２５の温度を監視し、光学部材１２５の温度が予め定められた抑制閾値を超えるまで監視を継続する（ステップＳ１０４：ＮＯ）。光学部材１２５の温度が抑制閾値を超えた場合（ステップＳ１０４：ＹＥＳ）、制御部１６０は、閃光装置１００の発光間隔および発光強度の少なくとも一方を含む発光量を強制的に抑制する（ステップＳ１０５）。これにより、光学部材１２５の温度上昇が抑制される。
【００４８】
発光量の抑制は、蓄電素子１３０への充電電流または充電電圧を抑制してもよいし、蓄電素子１３０が充電されていても、タイマ等により発光間隔を制限してもよい。また、光学部材１２５の温度が抑制閾値を超えたことをカメラボディ３００の本体ＣＰＵ３１０に伝えて、本体ＣＰＵ３１０に、閃光装置１００の使用が少なくなる撮影条件を選択させてもよい。
【００４９】
抑制閾値としては、光学部材１２５のガラス転移温度よりも低いが、警告閾値よりは高い温度が設定される。よって、温度が抑制閾値に到達しても、光学部材１２５が不可逆的に変質あるいは変形することはない。
【００５０】
制御部１６０は、その後も光学部材１２５の温度を監視し、光学部材１２５の温度が予め定められた禁止閾値を超えるまで監視を継続する（ステップＳ１０６：ＮＯ）。光学部材１２５の温度が禁止閾値を超えた場合（ステップＳ１０６：ＹＥＳ）、制御部１６０は、閃光装置１００の発光を強制的に禁止する（ステップＳ１０７）。これにより、光学部材１２５の温度上昇は停止する。
【００５１】
また、制御部１６０は、閃光装置１００の発光禁止に加えて、光学部材１２５の温度が禁止閾値を超えたことをカメラボディ３００の本体ＣＰＵ３１０に伝えてもよい。これにより、本体ＣＰＵ３１０は、閃光装置１００を使用しない撮影条件を選択することにより、撮影を継続できる。
【００５２】
なお、禁止閾値としては、光学部材１２５のガラス転移温度よりも僅かに低いが、抑制閾値よりは高い温度が設定される。よって、温度が禁止閾値に到達しても光学部材１２５が不可逆的に変質あるいは変形することはないが、それ以上に温度上昇した場合は、光学部材の変形または変質が生じる。
【００５３】
また、制御部１６０は、発光禁止から、予め定められた禁止期間が経過して、光学部材１２５の温度が低下した場合に発光禁止を解除してもよい。禁止期間は、個々の閃光装置１００について実験的に計測した値を保持してもよい。ただし、例えば、閃光装置１００の電源スイッチを切ることにより禁止期間の計測がリセットされないように、閃光装置１００の電源投入に関わりなく動作するタイマ等を用いることが好ましい。
【００５４】
更に、制御部１６０は、間隔をおいて複数回の温度測定結果を取得した場合に、測定の時間間隔および測定値に基づいて、放熱による光学部材１２５の温度降下を予測してもよい。この予測に基づいて光学部材１２５の温度が抑制閾値または禁止閾値よりも低くなる時間に発光の抑制または禁止を解くことにより、閃光装置１００の動作に対する制限を極力短くすることができる。
【００５５】
図６は、閃光システム５０２のブロック図である。以下に説明する部分を除くと、図３に示した閃光システム５０１と同じ構造を有するので、共通の要素には同じ参照番号を付して重複する説明を省く。
【００５６】
閃光システム５０２は、光学部材１２５の図中上端および図中下端に配された反射板５４１、５４２を備える点に固有の構造を有する。反射板５４１は、閃光光源１５２から射出された閃光の一部を直接に反射して、光学部材１２５の側端面から光学部材１２５に入射させる。反射板５４２は、光学部材１２５の内部を透過して側端面から射出された閃光の透過光を反射して、透過光受光部５２０に受光させる。
【００５７】
上記のような構造により、透過光が光学部材１２５内を伝播する距離が大幅に長くなり、光学部材１２５の透過率の変化を測定し易くなる。よって、制御部１６０は、光学部材１２５の温度上昇を確実に検出できる。
【００５８】
なお、光学部材１２５の内部においては、閃光装置１００の内側から外側に向かって傾斜した伝播光路に沿って閃光を透過させてもよい。これにより、透過する閃光と、閃光装置の外部から入射した外光とを峻別して、光学部材１２５の透過率を精度よく測定できる。
【００５９】
図７は、他の閃光システム５０３のブロック図である。以下に説明する部分を除くと、図３に示した閃光システム５０１と同じ構造を有するので、共通の要素には同じ参照番号を付して重複する説明を省く。
【００６０】
閃光システム５０３は、入射光受光部５１０が、光学部材１２５に対して閃光装置１００の外側に配された点に固有の構造を有する。また、閃光システム５０３は、透過光受光部５２０が、光学部材１２５に対して閃光装置１００の内側に配された点に固有の構造を有する。
【００６１】
上記の構造により、入射光受光部５１０は、閃光装置１００の外部から入射する外光を受光して、その光強度を温度算出部１６２に通知する。また、透過光受光部５２０は、入射光受光部５１０の直近において閃光装置１００の外部から入射して光学部材１２５を透過した透過光を受光して、その光強度を温度算出部１６２に通知する。
【００６２】
これにより、温度算出部１６２は、入射光々強度および透過光々強度の差分から、光学部材１２５の透過率を検出できる。温度算出部１６２は、予め格納している光学部材１２５の透過率と温度との相関を記録したテーブルを参照して光学部材１２５の温度を算出する。算出された光学部材１２５の温度は制御部１６０に通知される。
【００６３】
上記のような構造により、制御部１６０は、閃光光源１５２を発光させることなく、光学部材１２５の透過率を測定できる。よって、制御部１６０は、任意の間隔で光学部材１２５の温度を検出できる。また、制御部１６０は、閃光光源１５２が発光しない禁止期間中も光学部材１２５の温度を検出できる。
【００６４】
ただし、光学部材１２５の温度が上昇する原因は閃光による加熱であり、閃光が生じていない期間は、光学部材１２５の温度は低下し続ける。よって、制御部１６０は、閃光光源１５２が発光した直後に光学部材１２５の温度を検出することが好ましい。
【００６５】
図８は、また他の閃光システム５０４のブロック図である。以下に説明する部分を除くと、図３に示した閃光システム５０１と同じ構造を有するので、共通の要素には同じ参照番号を付して重複する説明を省く。
【００６６】
閃光システム５０４は、閃光装置１００の内部配された計測光々源５３０を含む。計測光々源５３０は、発光ダイオード等により計測され、予め定められた波長の光を、予め定められた強さで発生し、光学部材１２５に向かって照射する。
【００６７】
閃光システム５０４において、入射光受光部５１０は、計測光々源５３０が発生した計測光の一部を直接に受光して光強度を計測する。入射光受光部５１０が検出した光強度は、制御部１６０に形成された温度算出部１６２に通知される。
【００６８】
閃光システム５０４において、透過光受光部５２０は、計測光々源５３０が照射して光学部材１２５を透過した計測光を受光して光強度を計測する。透過光受光部５２０が計測した光強度も温度算出部１６２に通知される。
【００６９】
温度算出部１６２は、入射光受光部５１０が計測した光強度と、透過光受光部５２０が計測した光強度との差分に基づいて、光学部材１２５の透過率を算出する。光学部材１２５の透過率は温度により変化するので、温度算出部１６２は、予め格納している光学部材１２５の透過率と温度との相関を記録したテーブルを参照して光学部材１２５の温度を算出する。算出された光学部材１２５の温度は制御部１６０に通知される。
【００７０】
閃光システム５０４においては、計測光々源５３０から既知の波長および強度で発生した計測光の光強度を測定して、光学部材１２５の透過率を測定する。よって、温度算出部１６２は、光学部材１２５の温度を精度よく算出できる。
【００７１】
なお、計測光々源５３０が発生する計測光は、可視光帯域外の波長を有することが好ましい。これにより、計測光が閃光装置１００の外部に漏れた場合に、カメラボディ３００における測光に影響を与えることがない。
【００７２】
上記のような構造により、制御部１６０は、閃光光源１５２を発光させることなく、光学部材１２５の透過率を測定できる。よって、制御部１６０は、任意の間隔で光学部材１２５の温度を検出できる。
【００７３】
ただし、光学部材１２５の温度が上昇する原因は閃光による加熱であり、閃光が生じていない期間は、光学部材１２５の温度は低下し続ける。よって、制御部１６０は、閃光光源１５２が発光した直後に光学部材１２５の温度を検出することが好ましい。
【００７４】
また、制御部１６０は、閃光光源１５２が発光しない禁止期間中も光学部材１２５の温度を検出できる。なお、計測光々源５３０として発光ダイオード等を用いることにより、光学部材１２５の温度計測に係る電力消費を抑制することができる。
【００７５】
図９は、また他の閃光システム５０５のブロック図である。以下に説明する部分を除くと、図３に示した閃光システム５０１と同じ構造を有するので、共通の要素には同じ参照番号を付して重複する説明を省く。
【００７６】
閃光システム５０５は、光学部材１２５の側端面に被着された反射膜５４３、５４４を有する点において固有の構造を有する。反射膜５４３、５４４は、成形された光学部材１２５の側端面に、メッキ、蒸着等により被着させた金属層等により形成される。
【００７７】
反射膜５４３は、計測光々源５３０から射出された計測光の一部を反射して、光学部材１２５の内部を高さ方向に伝播させる。反射膜５４４は、光学部材１２５の内部を透過した計測光を反射して、透過光受光部５２０に受光させる。
【００７８】
閃光システム５０５は、反射膜５４３、５４４を設けたことにより、計測光を光学部材１２５の高さ方向に透過させて、透過率の計測精度を向上させる。また、閃光システム５０５は、計測光々源５３０を装備することにより、光学部材１２５の温度計測精度を向上させる。
【００７９】
更に、反射膜５４３、５４４は、光学部材１２５の側端面に直接に形成されるので、閃光装置１００の部品としては一体化される。よって、閃光装置１００の部品点数を低減し、組立工数を索然することにより、閃光装置１００の製造コストを下げることができる。
【００８０】
また更に、計測光を光学部材１２５に透過させて透過率を計測するにもかかわらず、温度計測に係る全ての部品を、光学部材１２５に対して閃光装置１００の内部側に配置できる。よって、閃光装置１００の小型化に寄与する。
【００８１】
以上、本発明を実施の形態を用いて説明したが、本発明の技術的範囲は上記実施の形態に記載の範囲には限定されない。上記の例では、レンズユニット２００を交換できる一眼レフ型のカメラボディ３００にクリップオン型の閃光装置１００を装着した閃光システム５０１、５０２、５０３、５０４、５０５について説明した。しかしながら、カメラボディ３００に一体的に設けられた閃光装置１００においても、上記の構造および制御方法が有効なことはもちろんである。
【００８２】
更に、上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００８３】
１００  閃光装置、１１０  固定筐体、１１２  取付部、１１４  連動端子、１１６  補助光発光部、１１８  補助光受光部、１２０  可動筐体、１２１  キャッチライト反射板、１２３  広角拡散板、１２４  解除ボタン、１２５  光学部材、１３０  蓄電素子、１４０  駆動部、１４２、  ボールねじ、１５０  発光部、１５２  閃光光源、１５４  反射板、１６０  制御部、１６２  温度算出部、１７０  電池、２００  レンズユニット、２０１  鏡筒、２１０、２２０、２３０、２５０  レンズ、２４０  絞り装置、２６０  モータ、２７０  レンズマウント、３００  カメラボディ、３０１  筐体、３１０  本体ＣＰＵ、３２２  合焦センサ、３２４  測光センサ、３３０  撮像素子、３３２  シャッタ、３４０  表示部、３５０  ファインダ、３５２  ピント板、３５４  ペンタプリズム、３６０  主鏡、３６２  副鏡、３７０  ボディマウント、４００  カメラシステム、５０１、５０２、５０３、５０４、５０５  閃光システム、５１０  入射光受光部、５１２、５２２  減光板、５２０  透過光受光部、５３０  計測光々源、５４１、５４２  反射板、５４３、５４４  反射膜
【図１】
2013167807.tif 000003
【図２】
2013167807.tif 000004
【図３】
2013167807.tif 000005
【図４】
2013167807.tif 000006
【図５】
2013167807.tif 000007
【図６】
2013167807.tif 000008
【図７】
2013167807.tif 000009
【図８】
2013167807.tif 000010
【図９】
2013167807.tif 000011